(57)【要約】【課題】  緑化ユニット及び緑化ユニットを用いた植栽フェンス、芝生フェンスにおいて、構成部材数をできるだけ少なくし、特殊な部材を用いず、一般消費者がホームセンター等で安価に購入し、施工できるようにすることを目的とする。【解決手段】  底板に水抜き孔を穿設した容器状のアルミ製本体と、アルミ製本体内に収容しアルミ製本体の底板との間に空間が形成できるプラスチック製基盤と、プラスチック製基盤上に載置した保水材と、保水材上に植物を植栽できるようにした緑化ユニットとした。【選択図】  図１
2007312667.tif 000002
【特許請求の範囲】
【請求項１】
底板に水抜き孔を穿設した容器状のアルミ製本体と、アルミ製本体内に収容しアルミ製本体の底板との間に空間が形成できるプラスチック製基盤と、プラスチック製基盤上に載置した保水材と、保水材上に植物を植栽できるようにした緑化ユニット。
【請求項２】
アルミ製本体をＨ型に形成した請求項１記載の緑化ユニットを、屋上パラペットの上端に載置する屋上パラペット用の緑化ユニット。
【請求項３】
アルミ製本体をＨ型に形成した請求項１記載の緑化ユニットを、バルコニー壁面上端に載置するバルコニー用緑化ユニット。
【請求項４】
請求項１記載の緑化ユニットを、起立させたアルミ製支柱を介して左右に連結し、且つ多段に設けてなる植栽フェンス。
【請求項５】
芝生を植栽した請求項１記載の緑化ユニットを、起立させたアルミ製支柱を介して斜状に配置して左右に連結し、且つ多段に設けてなる芝生フェンス。
【発明の詳細な説明】
【技術分野】
【０００１】
本発明は、壁面緑化等の緑化ユニット及び緑化ユニットを用いた植栽フェンス、芝生フェンスに関するものである。
【背景技術】
【０００２】
従来の壁面緑化技術では、ユニット化されているものであっても、部材が多いことや特殊な部材を用いる必要がある等の理由により、一般消費者が容易に設置することは極めて困難である。また、ホームセンター等で安価に購入し、自分で施工することができるような製品となって市場に流通している技術もない。さらに、従来の技術では、同じ技術を他の様々な部分（屋上やバルコニー等）の緑化にそのまま応用することができない。
【０００３】
このように、より多様な壁面緑化を低コストで、且つ容易に施工できるような技術がない。
【特許文献１】特開２００２−０９７６５３号公報
【発明の開示】
【発明が解決しようとする課題】
【０００４】
現在の緑化ユニットは、部材数が多く、特殊な部材を用いており、一般消費者がホームセンター等で安価に購入し、施工できるようにはなっていない。また、緑化ユニットの屋上やバルコニー等の様々な箇所への応用も困難である。
【課題を解決するための手段】
【０００５】
そこで、本発明は、上記の事情に鑑み、構成部材数をできるだけ少なくし、特殊な部材を用いず、一般消費者がホームセンター等で安価に購入し、施工できるようにすべく、底板に水抜き孔を穿設した容器状のアルミ製本体と、アルミ製本体内に収容しアルミ製本体の底板との間に空間が形成できるプラスチック製基盤と、プラスチック製基盤上に載置した保水材と、保水材上に植物を植栽できるようにした緑化ユニットとした。
【０００６】
また、本発明は、屋上パラペットに緑化ユニットを設置可能とすべく、アルミ製本体をＨ型に形成した緑化ユニットを、屋上パラペットの上端に載置する屋上パラペット用の緑化ユニットとした。
【０００７】
さらに、本発明は、バルコニーに緑化ユニットを設置可能とすべく、アルミ製本体をＨ型に形成した緑化ユニットを、バルコニー壁面上端に載置するバルコニー用の緑化ユニットとした。
【０００８】
さらにまた、本発明は、植栽フェンスを容易に提供可能とすべく、緑化ユニットを、起立させたアルミ製支柱を介して左右に連結し、且つ多段に設けてなる植栽フェンスとした。
【０００９】
さらにその上に、本発明は、芝生フェンスを容易に提供可能とすべく、芝生を植栽した緑化ユニットを、起立させたアルミ製支柱を介して斜状に配置して左右に連結し、且つ多段に設けてなる芝生フェンスとした。
【発明の効果】
【００１０】
本発明は、底板に水抜き孔を穿設した容器状のアルミ製本体と、アルミ製本体内に収容しアルミ製本体の底板との間に空間が形成できるプラスチック製基盤と、プラスチック製基盤上に載置した保水材と、保水材上に植物を植栽できるようにした緑化ユニットであるので、構成部材数をできるだけ少なくでき、特殊な部材を用いず、一般消費者がホームセンター等で安価に購入し、施工できる。
【００１１】
また、本発明は、アルミ製本体をＨ型に形成した緑化ユニットを、屋上パラペットの上端に載置する屋上パラペット用の緑化ユニットであるので、屋上パラペットに緑化ユニットが設置可能である。
【００１２】
さらに、本発明は、アルミ製本体をＨ型に形成した緑化ユニットを、バルコニー壁面上端に載置するバルコニー用緑化ユニットであるので、バルコニーに緑化ユニットが設置可能である。
【００１３】
さらにまた、本発明は、緑化ユニットを起立させたアルミ製支柱を介して左右に連結し、且つ多段に設けてなる植栽ユニットであるので、植栽フェンスを容易に提供できる。
【００１４】
さらにその上に、本発明は、芝生を植栽した緑化ユニットを、起立させたアルミ製支柱を介して斜状に配置して左右に連結し、且つ多段に設けてなる芝生フェンスであるので、芝生フェンスを容易に提供できる。
【発明を実施するための最良の形態】
【００１５】
本発明を添付する図面の具体的な実施例に基づいて、以下詳細に説明する。
【００１６】
本発明は、図１に示すように、底板１に水抜き孔２を穿設した容器状のアルミ製本体３と、アルミ製本体３内に収容しアルミ製本体３の底板１との間に空間が形成できるプラスチック製基盤４と、プラスチック製基盤４上に載置した保水材５と、保水材５上に花などの植物６を植栽できるようにした緑化ユニットＵである。
【００１７】
緑化ユニットＵでは植物を植栽するので、水が流出でき、植物の根が腐らないようにするために空気に触れる必要があるので、プラスチック製基盤４とアルミ製本体３の底板１との間には空間を形成し、さらに、底板１には水抜き孔２を穿設する。
【００１８】
本実施例では具体的一例として寸法をｍｍ単位で記載している。言うまでもなく、本発明はこの数値のものに限定されず、他の数値のものにも広く及ぶ。本実施例の水抜き孔２は直径１０ｍｍのものを例示している。
【００１９】
植物６の例示は、図２に示すように、底面が直径６５ｍｍ、高さ７５ｍｍの円錐台状のもので、通常植木鉢から取り出した状態である。
【００２０】
保水材５上に植物６を直接載置する場合もあるが、植物６の載置が容易なように予め凹みを凹設していてもよい。保水材５には植物６の栄養素を含ませることもでき、保水材５上に適当な土壌を載置してもよい。
【００２１】
緑化ユニットＵを構成するアルミ製本体３は、図３、図４に示すように、側板１１・１１や底板１２で高さ・幅・長さを自由に設定し、ビスで固定する。底板１２の両側の起立片１３・１３に側板１１・１１の外側よりビスで螺締する。図３の上下の破線１４はビス孔の位置を示す。なお、アルミ製本体３をアルミ平板を使用した例について述べたが、押出型材を用いることもできる。
【００２２】
緑化ユニットＵを軽量化するため、基盤４はプラスチック製とし、図３、図４に示すように、プラスチック製補強材１８を用いてプラスチック製基盤４の撓みを防止する。
【００２３】
緑化ユニットＵの組立て後の平面図の一例を図５に示す。この実施例では長さを９００ｍｍとしているが、我が国の建築等ではこの寸法の緑化ユニットＵが使い勝手が良い。
【００２４】
図６は緑化ユニットＵを用いて植栽フェンスや芝生フェンスを製作する時に使用するアルミ製支柱１５の一例で、板厚１〜２．５ｍｍ程度の１０ｍｍ×１０ｍｍの中空角柱で、その内部は電気配線及び給水ホースを挿通させることが可能である。板厚はアルミ製支柱１５が長くなれば厚く設定する。
【００２５】
図７は屋上パラペット１６やバルコニー１７の緑化ユニットＵを取付けた概要を示す。      
【００２６】
この屋上パラペット１６の上端あるいはバルコニー１７壁面上端に緑化ユニットＵを載置するために、アルミ製本体３は図８に示すようにＨ型に形成する。アルミ製本体３に収容するプラスチック製基盤４もＨ型に形成し、プラスチック製基盤４の上部に保水材５を保持させる。
【００２７】
図９はプラスチック製基盤４上に植物６を載置した状態を示す。
【００２８】
図１０は、植栽フェンスの正面図、側面図、緑化ユニットＵとアルミ製支柱１５との連結図を示す。
【００２９】
起立させたアルミ製支柱１５に緑化ユニットＵを左右に連結し、さらにアルミ製支柱１５に緑化ユニットＵを多段に設ける。
【００３０】
図１１は、芝生フェンスの正面図、側面図、緑化ユニットＵとアルミ製支柱１５との連結図を示す。
【００３１】
起立させたアルミ製支柱１５に芝生を植栽した緑化ユニットＵを斜状に配置して左右に連結し、さらにアルミ製支柱１５に緑化ユニットＵを多段に設ける。
【実施例１】
【００３２】
緑化ユニットＵは、例示したように幅１００ｍｍ、高さ７５ｍｍ、長さ９００ｍｍのものが利用しやすい。
【産業上の利用可能性】
【００３３】
コンクリート壁とフェンスを接合することによる既存壁面の緑化、土留め壁と緑化ユニットの接合による造成斜面の緑化、窓のアルミサッシ下部と緑化ユニットとの接合による開口部周辺の緑化に応用でき、既存・新築建築物壁面への取付けが可能で、室内の間仕切りとして容易に変換できる。
【図面の簡単な説明】
【００３４】
【図１】緑化ユニットの構成部材と植物を上下に配置した断面図である。
【図２】植物の断面図である。
【図３】アルミ製本体内にプラスチック製基盤を収容した状態の正面図とその側面図との２面図である。
【図４】アルミ製本体の底板の断面図とプラスチック製補強板の断面図、プラスチック製基盤の断面図の３面図である。
【図５】緑化ユニットの組立て後の平面図である。
【図６】アルミ製支柱の断面図である。
【図７】屋上パラペットやバルコニーの緑化ユニットを取付けた概要を示す断面図である。
【図８】緑化ユニットのアルミ製本体をＨ形に形成し、アルミ製本体、プラスチック製基盤、保水体を上下に配置した断面図である。
【図９】プラスチック製基盤上に植物を載置した状態の断面図である。
【図１０】植栽フェンスの正面図、側面図、緑化ユニットとアルミ製支柱との連結図の３面図である。
【図１１】芝生フェンスの正面図、側面図、緑化ユニットとアルミ製支柱との連結図の３面図である。
【符号の説明】
【００３５】
１…底板
２…水抜き孔
３…アルミ製本体
４…プラスチック製基盤
５…保水材
Ｕ…緑化ユニット
１６…屋上パラペット
１７…バルコニー
１５…アルミ製支柱
【図１】
2007312667.tif 000003
【図２】
2007312667.tif 000004
【図３】
2007312667.tif 000005
【図４】
2007312667.tif 000006
【図５】
2007312667.tif 000007
【図６】
2007312667.tif 000008
【図７】
2007312667.tif 000009
【図８】
2007312667.tif 000010
【図９】
2007312667.tif 000011
【図１０】
2007312667.tif 000012
【図１１】
2007312667.tif 000013